(57)【要約】【課題】本発明は、情報処理装置が検出する可能性が高く、占有スペースが小さい物品管理用シートを提供することを目的とする。【解決手段】本発明に係る物品管理用シート２０は、リーダライタ３０がＩＣチップ２２４、２３４、２４４、２５４から読み取った識別子を使用して情報処理装置４０が物品を管理するために、物品と組にして使用される物品管理用シートであって、平面状の本体２１と、複数のインレイ２２２、２３２、２４２、２５２と、を有し、複数のインレイ２２２、２３２、２４２、２５２のそれぞれは、アンテナ２２３、２３３、２４３、２５３、及び、識別子を記憶しアンテナ２２３、２３３、２４３、２５３を介して記憶した識別子を送信するＩＣチップ２２４、２３４、２４４、２５４から成り、本体２１の互いに重ならない位置に配置されている。【選択図】図３
2020126458.tif 000002
【特許請求の範囲】
【請求項１】
リーダがＩＣチップから読み取った識別子を使用して情報処理装置が物品を管理するために、物品と組にして使用される物品管理用シートであって、
平面状の本体と、
複数のインレイと、を有し、
前記複数のインレイのそれぞれは、アンテナ、及び、識別子を記憶し前記アンテナを介して前記記憶した識別子を送信するＩＣチップから成り、前記本体の互いに重ならない位置に配置されている、
ことを特徴とする物品管理用シート。
【請求項２】
物品と組にして使用される物品管理用シート、及び、リーダがＩＣチップから読み取った識別子を使用して物品を管理する情報処理装置を有するシステムであって、
前記物品管理用シートは、
平面状の本体と、
複数のインレイと、を有し、
前記複数のインレイのそれぞれは、アンテナ、及び、識別子を記憶し前記アンテナを介して前記記憶した識別子を送信するＩＣチップから成り、前記本体の互いに重ならない位置に配置され、
前記情報処理装置は、
前記物品管理用シートと組にして使用される物品を前記システム内で識別する物品番号を、前記複数のインレイに含まれるＩＣチップのそれぞれが記憶している識別子と関連付けて記憶する記憶部と、
複数のＩＣチップのそれぞれが記憶している識別子を取得する識別子取得部と、
前記識別子取得部が、前記物品番号に関連付けられた識別子の少なくとも一つを取得したとき、前記物品番号によって識別される物品が存在すると判定する判定部と、
前記判定の結果を出力する出力部と、を有する、
ことを特徴とするシステム。
【請求項３】
前記物品管理用シートは、
物品の一つである第１物品と組にして使用され、
前記ＩＣチップの一つとして第１ＩＣチップを有し、
前記第１ＩＣチップは、前記識別子として第１識別子を記憶し、
前記記憶部は、
第１物品を識別する第１物品番号を前記物品番号の一つとして記憶し、
前記第１物品番号と関連付けて、前記第１識別子を前記識別子の一つとして記憶し、
前記第１識別子は、前記システム内で一意に前記第１ＩＣチップを識別し、
前記情報処理装置は、
前記識別子取得部が所定期間に前記第１識別子を取得した回数であるＩＣチップ検出回数を算出するＩＣチップ検出回数算出部と、
前記識別子取得部が所定期間に取得した識別子に基づいて前記判定部が第１物品が存在すると判定した回数である物品検出回数を算出する物品検出回数算出部と、
前記ＩＣチップ検出回数及び前記物品検出回数に基づいて、前記第１物品の検出回数に対する前記第１ＩＣチップの検出率を算出する検出率算出部と、
前記検出率が所定閾値より小さいとき、前記第１ＩＣチップに関する警告を出力する警告出力部と、をさらに有する、請求項２に記載のシステム。
【発明の詳細な説明】
【技術分野】
【０００１】
本発明は、物品管理用シート、及び、物品管理用シート及び情報処理装置を有するシステムに関する。
【背景技術】
【０００２】
物品にＩＣ（Integrated Circuit)タグを付して、当該物品の管理に使用する技術が普及しつつある。
【０００３】
例えば、特許文献１には、収納品に付された二つのＩＣタグと、ＩＣタグとデータの授受を行うリーダライタと、収納品を保持収集する収納手段とを備える収納品検索装置が記載されている。二つのＩＣタグは、例えば収納品であるバインダーの表紙と裏表紙にそれぞれ付されている。収納品検索装置は、リーダライタが一方のＩＣタグの情報を読み込めなかったとき、同じバインダーに取り付けられ同一の内容が記憶されたもう一方のＩＣタグの情報をリーダライタが読み込むことにより、バインダーを検出しやすくする。
【先行技術文献】
【特許文献】
【０００４】
【特許文献１】特開２００５−１４５６４８号公報
【発明の概要】
【発明が解決しようとする課題】
【０００５】
特許文献１に記載の発明において、各ＩＣタグは、バインダーの表紙と裏表紙、ダンボール箱の相対する面等の異なる面に配置される。少なくとも一方のＩＣタグが検出される可能性を増加させるため、異なる面の間の距離は、大きいほど好ましい。このため、特許文献１に記載の収納品検索装置によって、ダンボール箱等に格納された物品を管理する場合、複数のＩＣタグを有する物品管理用品（ダンボール箱等）の占有スペースを小さくすることが困難であった。
【０００６】
本発明は、検出される可能性が高く、占有スペースが小さい物品管理用シートを提供することを目的とする。
【課題を解決するための手段】
【０００７】
本発明に係る物品管理用シートは、リーダがＩＣチップから読み取った識別子を使用して情報処理装置が物品を管理するために、物品と組にして使用される物品管理用シートであって、平面状の本体と、複数のインレイと、を有し、複数のインレイのそれぞれは、アンテナ、及び、識別子を記憶しアンテナを介して記憶した識別子を送信するＩＣチップから成り、本体の互いに重ならない位置に配置されている。
【０００８】
本発明に係るシステムは、物品と組にして使用される物品管理用シート、及び、リーダがＩＣチップから読み取った識別子を使用して物品を管理する情報処理装置を有するシステムであって、物品管理用シートは、平面状の本体と、複数のインレイと、を有し、複数のインレイのそれぞれは、アンテナ、及び、識別子を記憶しアンテナを介して記憶した識別子を送信するＩＣチップから成り、本体の互いに重ならない位置に配置され、情報処理装置は、物品管理用シートと組にして使用される物品をシステム内で識別する物品番号を、複数のインレイに含まれるＩＣチップのそれぞれが記憶している識別子と関連付けて記憶する記憶部と、複数のＩＣチップのそれぞれが記憶している識別子を取得する識別子取得部と、識別子取得部が、物品番号に関連付けられた識別子の少なくとも一つを取得したとき、物品番号によって識別される物品が存在すると判定する判定部と、判定の結果を示す情報を出力する出力部と、を有する。
【発明の効果】
【０００９】
本発明によれば、情報処理装置によって検出される可能性が高く、占有スペースが小さい物品管理用シートを提供することができる。
【図面の簡単な説明】
【００１０】
【図１】管理システム１における処理概要の一例を示す図である。
【図２】管理システム１の概略構成の一例を示す図である。
【図３】物品管理用シート２０の概略構成を示す図である。
【図４】情報処理装置４０の概略構成の一例を示す図である。
【図５】（ａ）は、タグ物品管理表の一例を示す図であり、（ｂ）は、物品管理表の一例を示す図である。
【図６】情報処理装置４０における物品管理用シート２０の初期設定処理の一例を示す図である。
【図７】棚卸処理の対象となる書類格納状態の概要を示す図である。
【図８】棚卸処理の対象となる書類格納状態の概要を示す図である。
【図９】情報処理装置４０における棚卸処理の一例を示す図である。
【図１０】（ａ）、（ｂ）は、第１変形例に係る物品管理用シート２０ａの概略構成を示す図である。
【図１１】（ａ）は、第２変形例に係る物品管理用シート２０ｂの概略構成を示す図であり、（ｂ）は、第３変形例に係る物品管理用シート２０ｃの概略構成を示す図であり、（ｃ）は、第４変形例に係る物品管理用シート２０ｄの概略構成を示す図である。
【図１２】第５変形例に係る情報処理装置４０´の概略構成の一例を示す図である。
【図１３】第５変形例に係る物品管理表の一例を示す図である。
【図１４】第５変形例に係る情報処理装置４０´における警告処理の一例を示す図である。
【発明を実施するための形態】
【００１１】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１２】
図１は、管理システム１における処理概要の一例を示す図である。
【００１３】
管理システム１は、物品管理用シート２０、リーダライタ３０、情報処理装置４０を有し、書棚８１に格納された書類１０の有無を管理する。書類１０は、管理システム１により管理される物品の一例である。物品管理用シート２０は、ＩＣタグ２２、２３、２４、２５が付されたシートであり、書類１０と組にして使用されている。ＩＣタグ２２、２３、２４、２５は、ＩＣチップ及びアンテナから成る図示しないインレイをそれぞれ有し、それぞれのインレイは、シート上で重ならない位置に配置されている。ＩＣタグ２２、２３、２４、２５は、それぞれＩＣタグを識別可能な識別子を記憶している。
【００１４】
リーダライタ３０は、識別子をＩＣタグ２２、２３、２４、２５から受信し、情報処理装置４０に送信する。情報処理装置４０は、情報処理を実行する装置であり、表示部４３等を有している。情報処理装置４０は、物品管理用シート２０に配置されたＩＣタグの識別子と、当該物品管理用シートと組にして使用される書類１０を識別する物品番号とを関連付けて記憶している。書棚８１は、書類１０及び物品管理用シート２０を格納する金属製の棚である。
【００１５】
棚卸が実行されるとき、リーダライタ３０は、書棚８１の周囲に電波を放射し、それに応じて各ＩＣタグが送信する識別子を受信する。図１に示す例において、物品管理用シート２０のＩＣタグ２２は、リーダライタ３０の放射する電波を受信できるが、ＩＣタグ２３、２４、２５は、書棚８１の側面に近接しているため、リーダライタ３０の放射する電波を受信できないとする。このとき、ＩＣタグ２２は、識別子を送信するが、ＩＣタグ２３、２４、２５は、識別子を送信しない。
【００１６】
次に、情報処理装置４０は、リーダライタ３０からＩＣタグの識別子を受信し、識別子の値に関連付けられた物品番号を取得する。図１に示す例では、情報処理装置４０は、リーダライタ３０から識別子ａを受信し、ａに関連付けられた物品番号として５０番を取得する。情報処理装置４０は、物品番号５０番に関連付けられた値ｂ、ｃ、ｄを有する他の識別子を取得していなくても、値ａを有する識別子を受信したため、５０番の書類は存在すると判定する。次に、情報処理装置４０は、５０番の書類が存在することを示す情報を、表示部４３に表示し、一連の処理を終了する。
【００１７】
物品管理用シート２０は、ＩＣタグ２２、２３、２４、２５を有する。情報処理装置４０は、ＩＣタグ２２等の少なくとも一つが記憶する識別子を取得すると、その識別子に関連付けられた物品番号によって識別される物品が存在すると判定する。このため、物品管理用シート２０は、ＩＣタグが一つだけ付されているときに比べて、情報処理装置４０によって検出されやすい。また、物品管理用シート２０は、平面状であるため、占有スペースが小さい。
【００１８】
＜第１実施形態＞
図２は、管理システム１の概略構成の一例を示す図である。
【００１９】
管理システム１は、物品管理用シート２０と、リーダライタ３０と、情報処理装置４０とを有する。リーダライタ３０と情報処理装置４０とは、通信ネットワーク９０を介して接続されている。
【００２０】
図３は、物品管理用シート２０の概略構成を示す図である。
【００２１】
物品管理用シート２０は、リーダライタ３０がＩＣチップから読み取った識別子を使用して情報処理装置が物品を管理するために、物品と組にして使用される。物品管理用シート２０は、本体２１、複数のＩＣタグ２２、２３、２４、２５及びラベル２６を有する。本体２１は、平面２１１及び平面２１１に対向する平面２１２を含み、全体として平面状である。本体２１は、プラスチック等、導電性を有さない材質からなるが、金属等の導電性を有する材質を含んでもよい。ＩＣタグ２２、２３、２４、２５は、リーダライタ３０の発生する電波により動作して情報を送受信するパッシブ型のＲＦＩＤタグであり、本体２１の平面２１１に配置されている。
【００２２】
ＩＣタグ２２は、基材２２１及びインレイ２２２を有し、ＩＣタグ２３は、基材２３１及びインレイ２３２を有し、ＩＣタグ２４は、基材２４１及びインレイ２４２を有し、ＩＣタグ２５は、基材２５１及びインレイ２５２を有する。基材２２１、２３１、２４１、２５１は、それぞれＩＣタグ２２、２３、２４、２５の外形を形成するラベル状の部材である。インレイ２２２は、アンテナ２２３及びＩＣチップ２２４から成り、インレイ２３２は、アンテナ２３３及びＩＣチップ２３４から成る。インレイ２４２は、アンテナ２４３及びＩＣチップ２４４から成り、インレイ２５２は、アンテナ２５３及びＩＣチップ２５４から成る。
【００２３】
アンテナ２２３はＩＣチップ２２４に、アンテナ２３３はＩＣチップ２３４に、アンテナ２４３はＩＣチップ２４４に、アンテナ２５３はＩＣチップ２５４に接続されている。アンテナ２２３、２３３、２４３、２５３は、リーダライタ３０の発生する電波を受信すると、接続されたＩＣチップに電流を流す。
【００２４】
ＩＣチップ２２４、２３４、２４４、２５４は、それぞれ自らを有するＩＣタグを管理システム１内で一意に識別可能な識別子、及び、全世界でそれぞれ一意に識別可能なグローバル識別子を記憶する。ＩＣタグを管理システム１内で識別可能な識別子の一例は、ＩＣタグに含まれるＩＣチップを管理システム１内で識別可能な識別子である。ＩＣチップ２２４、２３４、２４４、２５４が記憶する識別子の値は、それぞれａ、ｂ、ｃ、ｄである。以下、識別子の値としてＸを記憶するＩＣチップを、値ＸのＩＣチップと称することがある。ＩＣチップ２２４、２３４、２４４、２５４は、接続されたアンテナから流れてきた電流に応じて、識別子及びグローバル識別子を含むデータを接続されたアンテナを介してリーダライタ３０に送信する。
【００２５】
インレイ２２２、２３２、２４２、２５２は、本体２１の互いに重ならない位置に配置されている。「重ならない」とは、インレイ２２２、２３２、２４２、２５２が配置された本体２１の平面２１１の垂線方向において、インレイ同士が重ならないことを意味する。
【００２６】
ラベル２６は、シール部材であり、本体２１の平面２１１に貼付されている。ラベル２６には、ラベル２６が貼付された物品管理用シート２０と組にして使用される物品である書類１０を管理システム１内で識別する物品番号、及び、物品番号がコード化された２次元コード２６１が表示されている。
【００２７】
リーダライタ３０は、リーダの一例である。リーダライタ３０は、後述するように物品管理用シート２０が有するＩＣタグが記憶するデータを読み取り、読み取ったデータを情報処理装置４０に送信する。リーダライタ３０は、タイムスロット方式、ビットコリジョン方式等のアンチコリジョン方式を使用して、一度に複数のＩＣタグのデータを読み取ることができる。
【００２８】
図４は、情報処理装置４０の概略構成の一例を示す図である。
【００２９】
情報処理装置４０は、リーダライタ３０からデータを受信し、記憶する。情報処理装置４０は、受信したデータに含まれる識別子を使用して、識別子に関連付けられた物品を管理する。そのために、情報処理装置４０は、通信部４１と、コード読取部４２と、表示部４３と、記憶部４４と、処理部４５とを有する。
【００３０】
通信部４１は、有線ＬＡＮ等の通信インターフェース回路を有する。通信部４１は、通信ネットワーク９０を介して、リーダライタ３０等と通信を行う。通信部４１は、リーダライタ３０等から受信したデータを処理部４５に供給する。
【００３１】
コード読取部４２は、バーコード、２次元コード等を読み取るバーコードリーダである。コード読取部４２は、ＣＣＤ（Charge Coupled Device）素子またはＣＭＯＳ（Complementary Metal Oxide Semiconductor）素子等の撮像素子、光学系部品、Ａ／Ｄ変換器、エンコーダなどを含んで構成される公知の内蔵カメラで構成されてもよい。コード読取部４２は、２次元コード等から読み取ったデータを処理部４５に供給する。
【００３２】
表示部４３は、画像等の出力が可能であればどのようなデバイスでもよく、例えば、タッチパネル式の表示装置、液晶ディスプレイ、有機ＥＬ（Electro−Luminescence）ディスプレイ、ＣＲＴ（Cathode Ray Tube）ディスプレイ等である。表示部４３は、処理部４５から供給されるデータに応じた画像等を表示する。
【００３３】
記憶部４４は、例えば、半導体メモリ、磁気ディスク装置、及び光ディスク装置のうちの少なくとも一つを有する。記憶部４４は、処理部４５による処理に用いられるドライバプログラム、オペレーティングシステムプログラム、アプリケーションプログラム、データ等を記憶する。
【００３４】
例えば、記憶部４４は、ドライバプログラムとして、通信部４１を制御する通信デバイスドライバプログラム等を記憶する。また、記憶部４４は、オペレーティングシステムプログラムとして、ＴＣＰ／ＩＰ（Transmission Control Protocol / Internet Protocol）等の通信方式による接続制御プログラム等を記憶する。また、記憶部４４は、アプリケーションプログラムとして、各種データの送受信を行うデータ処理プログラム等を記憶する。コンピュータプログラムは、例えばＤＶＤ−ＲＯＭ（Digital Versatile Disk Read Only Memory）等のコンピュータ読み取り可能な可搬型記録媒体から、公知のセットアッププログラム等を用いて記憶部４４にインストールされてもよい。
【００３５】
記憶部４４は、ＩＣタグと管理対象物品との関連付けを記憶するタグ物品関連表と、管理対象物品の管理状態を記憶する物品管理表とを含むデータベースを有する。
【００３６】
図５（ａ）は、タグ物品関連表の一例を示す図である。
【００３７】
タグ物品関連表には、物品管理用シート２０のインレイ２２２等に含まれるＩＣチップ２２４等のそれぞれが記憶している識別子毎に、グローバル識別子、物品番号等が相互に関連付けられて記憶される。
【００３８】
図５（ｂ）は、物品管理表の一例を示す図である。
【００３９】
物品管理表には、物品番号毎に、棚卸結果等が相互に関連付けられて記憶される。
【００４０】
処理部４５は、一又は複数のプロセッサ及びその周辺回路を有する。処理部４５は、情報処理装置４０の全体的な動作を統括的に制御し、例えば、ＣＰＵ（Central Processing Unit）である。処理部４５は、情報処理装置４０の各種処理が記憶部４４に記憶されているプログラム等に応じて適切な手順で実行されるように、通信部４１等の動作を制御する。処理部４５は、記憶部４４に記憶されているプログラム（ドライバプログラム、オペレーティングシステムプログラム、アプリケーションプログラム等）に基づいて処理を実行する。また、処理部４５は、複数のプログラム（アプリケーションプログラム等）を並列に実行できる。
【００４１】
処理部４５は、コード取得部４５１、登録部４５２、識別子取得部４５３、判定部４５４及び出力部４５５を有する。処理部４５が有するこれらの各部は、処理部４５が有するプロセッサ上で実行されるプログラムによって実装される機能モジュールである。あるいは、処理部４５が有するこれらの各部は、独立した集積回路、マイクロプロセッサ、又はファームウェアとして情報処理装置４０に実装されてもよい。
【００４２】
以下の説明において、ＩＣタグに書き込むことは、ＩＣタグに含まれるＩＣチップに書き込むことを含み、ＩＣタグが記憶することは、ＩＣタグに含まれるＩＣチップが記憶することを含む。ＩＣタグから読み込むことは、ＩＣタグに含まれるＩＣチップから読み込むことを含む。
【００４３】
図６は、情報処理装置４０における物品管理用シート２０の初期設定処理の一例を示す図である。
【００４４】
以下、図６に示したフローチャートを参照しつつ、情報処理装置４０の動作の例を説明する。以下に説明する動作は、予め記憶部４４に記憶されているプログラムに基づき、主に処理部４５により各要素と協働して実行される。
【００４５】
最初に、コード取得部４５１は、初期設定の対象である物品管理用シート２０に貼付されたラベル２６から、コード読取部４２を介して２次元コード２６１にコード化されている物品番号を取得する（Ｓ１１）。コード取得部４５１は、取得した物品番号を記憶部４４に一時的に記憶する。
【００４６】
次に、登録部４５２は、コード読取部４２が２次元コード２６１を読み取った物品管理用シート２０が有するＩＣタグを認識する（Ｓ１２）。登録部４５２は、リーダライタ３０が各ＩＣタグから読み取ったデータを通信部４１を介して受信し、受信したデータからグローバル識別子を取得すると、グローバル識別子により一意に識別されるＩＣタグが物品管理用シート２０に配置されていると認識する。リーダライタ３０は、電波を透過しない箱の内部において物品管理用シート２０からＩＣタグを読み取ることにより、物品管理用シート２０が有するＩＣタグ以外のＩＣタグを読み取ることを防止する。
【００４７】
次に、登録部４５２は、取得したグローバル識別子のそれぞれに識別子及び物品番号を割り当てる（Ｓ１３）。登録部４５２は、図５（ａ）に示すタグ物品関連表を参照して、他の識別子と重複しない識別子を選択し、取得したグローバル識別子毎に、選択した識別子及びＳ１１で一時的に記憶した物品番号を割り当てる。
【００４８】
次に、登録部４５２は、割り当てにより関連付けられた識別子、グローバル識別子及び物品番号の各組をタグ物品関連表に登録し、タグ物品関連表に登録した物品番号を図５（ｂ）に示す物品管理表にも登録する（Ｓ１４）。
【００４９】
次に、登録部４５２は、通信部４１、リーダライタ３０を介して、各グローバル識別子によって識別されるＩＣタグのそれぞれに、各グローバル識別子に関連付けられた識別子を書き込む（Ｓ１５）。登録部４５２は、識別子とグローバル識別子との組を含む書き込み命令を、通信部４１を介してリーダライタ３０に送信する。リーダライタ３０は、書き込み命令を受信すると、グローバル識別子を宛先に指定して、識別子を含むコマンドをＩＣタグに送信する。ＩＣタグは、コマンドの宛先に指定されたグローバル識別子が自らが記憶するグローバル識別子と同一であるとき、コマンドに含まれる識別子を記憶する。以上により、初期設定処理は終了する。
【００５０】
図７及び図８は、棚卸処理の対象となる書類格納状態の概要を示す図である。
【００５１】
書類ケース８０は、複数の書棚８１を有する。書棚８１には、封筒５１、５１´、５１´´等が並んで格納されている。封筒５１、５１´、５１´´は、その内部にそれぞれ異なる書類１０及び物品管理用シート２０の組を格納している。
【００５２】
図９は、情報処理装置４０における棚卸処理の一例を示す図である。
【００５３】
以下、図９に示したフローチャートを参照しつつ、情報処理装置４０の動作の例を説明する。以下に説明する動作は、予め記憶部４４に記憶されているプログラムに基づき、主に処理部４５により各要素と協働して実行される。
【００５４】
最初に、識別子取得部４５３は、リーダライタ３０が書類ケース８０の周辺においてＩＣタグから読み取ったデータを通信部４１を介して受信し、受信したデータからＩＣタグのそれぞれが記憶している識別子を取得する（Ｓ３１）。リーダライタ３０が読み取ったデータには、各物品管理用シート２０が有する複数のＩＣタグのそれぞれが記憶している識別子が含まれていることが期待される。但し、物品管理用シート２０が書類ケース８０に格納されている状況、リーダライタ３０と書類ケース８０との距離等の影響により、一部のＩＣタグの識別子は、リーダライタ３０が読み取ったデータに含まれていないことがある。
【００５５】
次に、判定部４５４は、物品管理表から一つの物品番号を選択し、タグ物品関連表に基づいて、識別子取得部４５３が、選択した物品番号に関連付けられた識別子の少なくとも一つを取得したか否かを判定する（Ｓ３２）。
【００５６】
識別子取得部４５３が、物品番号に関連付けられた識別子の少なくとも一つを取得したとき、判定部４５４は、物品番号によって識別される物品が存在すると判定する（Ｓ３３）。次に、判定部４５４は、物品管理表の棚卸結果欄に物品が存在することを示す情報である「有」を書き込む。
【００５７】
識別子取得部４５３が、物品番号に関連付けられた識別子を一つも取得していないとき、判定部４５４は、物品番号によって識別される物品が存在しないと判定する（Ｓ３４）。次に、判定部４５４は、物品管理表の棚卸結果欄に物品が存在しないことを示す情報である「無」を書き込む。判定部４５４は、Ｓ３２〜Ｓ３４の処理を、物品管理表に記憶された物品番号のそれぞれに対して実行する。
【００５８】
次に、出力部４５５は、物品管理表の物品番号欄及び棚卸結果欄に書き込まれた情報に基づいて棚卸結果を表示する画面を生成し、生成した画面を表示部４３に出力して表示させる（Ｓ３５）。以上により、棚卸処理は終了する。
【００５９】
第１実施形態に係る物品管理用シート２０は、複数のインレイ２２２、２３２、２４２、２５２が本体２１の重ならない位置に配置されている。このため、物品管理用シート２０は、リーダライタ３０がＩＣタグを読み取る際に、インレイを一つだけ有する物品管理用シートに比べて検出される可能性が高い。また、物品管理用シート２０は、本体２１が平面状であるため、占有スペースを小さくできる。
【００６０】
特に、管理対象の物品が紙の書類であり、図７及び図８に示すように物品及び物品管理用シート２０を書棚８１内に立てて格納する場合、通常、格納される物品と物品との間、物品と物品管理用シート２０との間には若干の隙間が生じる。このため、リーダライタ３０は、その隙間からＩＣタグを読み取ることができ、物品管理用シート２０は、検出されやすくなる。
【００６１】
なお、物品管理用シート２０は、管理対象の物品の一面と同様な形状及び同様な大きさであることが好ましい。形状及び大きさが同様であることによって、物品管理用シート２０と物品とを一体として扱いやすくなる。
【００６２】
また、物品管理用シート２０は、管理対象の物品に付着して使用されてもよい。例えば、物品管理用シート２０は、管理対象の物品であるノート型パソコンの蓋の表面に貼付され使用されてもよい。物品に複数のＩＣタグを有する物品管理用シート２０を貼付することにより、物品にＩＣタグを個別に貼付する場合に比べて、ＩＣタグの管理が容易になる。
【００６３】
また、物品管理用シート２０が有するＩＣタグの数は、四つに限らず、任意の複数であってよい。
【００６４】
また、本体２１は、ほとんど変形しないような柔軟性を有さないものでも、柔軟性を有するものでもよい。柔軟性を有する本体２１は、例えば、巻物状に変形できてもよい。本体２１が柔軟性を有する場合、例えば管理対象の物品の表面が円柱面等の非平面であっても、その表面に沿って物品管理用シート２０を配置することが可能であり、物品管理用シート２０を物品と一体化させて使用できる場面が増加する。
【００６５】
また、本体２１に、平面２１１から平面２１２に貫通する貫通孔を複数形成する等の方法により、本体２１を網状に構成してもよい。本体２１に貫通孔を形成することにより、本体２１を軽量化することが可能になる。
【００６６】
また、ＩＣタグ２２、２３、２４、２５は、本体２１の周辺部又は四隅に近い位置に配置されることが好ましい。これらの位置に配置されることにより、管理対象の物品及び物品管理用シート２０の組を複数並べて管理するときに、いずれかのＩＣタグが外部に近い位置に配置され、リーダライタ３０によって検出される可能性が高くなる。
【００６７】
また、ＩＣタグ２２、２３、２４、２５の一つ以上は、他のＩＣタグが配置されている面と反対側の面に配置されてもよい。例えば、ＩＣタグ２２、２５は、平面２１１に配置され、ＩＣタグ２３、２４は、平面２１２に配置されてもよい。
【００６８】
また、ＩＣタグ２２、２３、２４、２５は、アクティブ型のＲＦＩＤタグであってもよい。
【００６９】
また、ＩＣチップ２２４、２３４、２４４、２５４がそれぞれ記憶する識別子は、物品管理用シート２０を識別可能な識別子であれば、各ＩＣタグを管理システム１内で一意に識別可能な識別子でなくてもよい。例えば、これらの識別子は、他の物品管理用シートのＩＣタグで使用されていない値であれば、全て同一の値であっても、任意の二つ以上が同一の値であってもよい。全て同一の値の場合、識別子の値は、物品管理用シート２０による管理対象の物品を識別可能な物品番号であってもよい。
【００７０】
＜第１変形例＞
図１０（ａ）及び図１０（ｂ）は、第１変形例に係る物品管理用シート２０ａの概略構成を示す図である。
【００７１】
第１変形例に係る物品管理用シート２０ａは、基材２２１、２３１、２４１、２５１を有しておらず、インレイ２２２、２３２、２４２、２５２のみを有している。また、本体２１ａは、図１０（ａ）のように中央で折りたたまれることにより図１０（ｂ）のように一枚の平面状の部材を形成し、インレイ２２２、２３２、２４２、２５２は、本体２１ａの折りたたまれた内部に配置及び接着されている。上記以外の第１変形例に係る物品管理用シート２０ａの構成は、同一符号が付された第１実施形態に係る物品管理用シート２０の構成と同一であるため、ここでは詳細な説明を省略する。
【００７２】
第１変形例に係る物品管理用シート２０ａは、インレイ２２２、２３２、２４２、２５２を有しているが、基材２２１、２３１、２４１、２５１を有していないため、第１実施形態の物品管理用シート２０に比べて少ない部材で製造することができる。また、第１変形例に係る物品管理用シート２０ａは、インレイ２２２、２３２、２４２、２５２が本体２１ａの内部に配置されているため、外部からの衝撃によってインレイ２２２、２３２、２４２、２５２が破損する可能性を減らすことができる。
【００７３】
なお、本体２１ａは、図１０（ｂ）のように一辺が閉じていても、隣接する又は対向する二辺が閉じていても、三辺が閉じていても、四辺全てが閉じていてもよい。また、本体２１ａは、二枚のシート状の部材によりインレイ２２２、２３２、２４２、２５２を挟み込んで接着するように構成されてもよい。
【００７４】
＜第２変形例＞
図１１（ａ）は、第２変形例に係る物品管理用シート２０ｂの概略構成を示す図である。
【００７５】
第２変形例に係る物品管理用シート２０ｂは、さらにＩＣタグ２７を有している。本体２１ｂは、円形である。ＩＣタグ２２、２３、２４、２５、２７は、円の中心を囲むように、円の周辺部に沿ってほぼ等間隔に配置されている。上記以外の第２変形例に係る物品管理用シート２０ｂの構成は、同一符号が付された第１実施形態に係る物品管理用シート２０の構成と同一であるため、ここでは詳細な説明を省略する。
【００７６】
物品管理用シート２０ｂは、本体２１ｂの形状が円形であるため、オープンリールデッキで使用されるテープメディア、ＤＶＤ−ＲＯＭ等、円形の物品と組にして使用するときに邪魔になりにくい。
【００７７】
＜第３変形例＞
図１１（ｂ）は、第３変形例に係る物品管理用シート２０ｃの概略構成を示す図である。
【００７８】
第３変形例に係る物品管理用シート２０ｃは、さらにＩＣタグ２７を有している。本体２１ｃは、帯状の長方形である。ＩＣタグ２２、２３、２４、２５、２７は、本体２１ｃの長手方向と各ＩＣタグの短手方向とがほぼ一致するように、本体２１ｃの長手方向にほぼ等間隔に配置されている。上記以外の第３変形例に係る物品管理用シート２０ｃの構成は、同一符号が付された第１実施形態に係る物品管理用シート２０の構成と同一であるため、ここでは詳細な説明を省略する。
【００７９】
物品管理用シート２０ｃは、本体２１ｃの形状が帯状であるため、家の柱となる部材等、細長い物品と組にして使用するときに邪魔になりにくい。また、三つ以上のＩＣタグが同一方向に並んで配置されているため、細長い物品と組にして使用するときに、物品の場所を問わずいずれかのＩＣタグを検出しやすい。
【００８０】
＜第４変形例＞
図１１（ｃ）は、第４変形例に係る物品管理用シート２０ｄの概略構成を示す図である。
【００８１】
第４変形例に係る物品管理用シート２０ｄは、ＩＣタグ２５を有していない。本体２１ｄは、テープ状の長方形である。ＩＣタグ２２、２３、２４は、本体２１ｄの長手方向と各ＩＣタグの長手方向とがほぼ一致するように、本体２１ｄの長手方向にほぼ等間隔に配置されている。ＩＣタグ２２、２３、２４の幅（短手方向の長さ）と本体２１ｄの幅（短手方向の長さ）とは、ほぼ同一であり、ＩＣタグ２２、２３、２４は、本体２１ｄから短手方向及び長手方向に突出していない。上記以外の第４変形例に係る物品管理用シート２０ｄの構成は、同一符号が付された第１実施形態に係る物品管理用シート２０の構成と同一であるため、ここでは詳細な説明を省略する。
【００８２】
物品管理用シート２０ｄは、ＩＣタグ２２、２３、２４の長手方向と本体２１ｄの長手方向とがほぼ一致するため、ＩＣタグ２２、２３、２４を本体２１ｄから突出させずに本体２１ｄの幅を狭くすることができる。また、本体２１ｄの幅を細くすることにより、例えば管理対象の物品が棒状、筒状であり、本体２１ｄが柔軟性を有するときに、管理対象の物品の表面に物品管理用シート２０ｄをスパイラル状に配置することが容易である。
【００８３】
＜第５変形例＞
図１２は、第５変形例に係る情報処理装置４０´の概略構成の一例を示す図である。
【００８４】
情報処理装置４０´は、判定部４５４の代わりに判定部４５４´を有し、ＩＣチップ検出回数算出部４５６、物品検出回数算出部４５７、検出率算出部４５８及び警告出力部４５９をさらに有することが情報処理装置４０と相違する。また、記憶部４４が記憶する物品管理表の形式は、後述するように第１実施形態に係る物品管理表の形式と相違する。また、判定部４５４´は、棚卸処理のＳ３３及びＳ３４の後に、物品が存在すること又は存在しないことに加えて、物品番号に関連付けられた各識別子が検出されたか否かを物品管理表に書き込む。情報処理装置４０´のその他の構成要素の構成及び機能は、同一符号が付された情報処理装置４０の構成要素の構成及び機能と同一であるため、ここでは詳細な説明を省略する。
【００８５】
第５変形例に係る物品管理用シート２０において、ＩＣチップ２２４は、第１ＩＣチップの一例である。また、物品管理用シート２０と組にして使用される物品は、第１物品の一例であり、値が５０である物品番号は、第１物品を識別する第１物品番号の一例である。また、値がａである識別子は、第１物品番号と関連付けられた第１識別子の一例である。
【００８６】
図１３は、第５変形例に係る物品管理表の一例を示す図である。
【００８７】
第５変形例に係る物品管理表は、タグ物品関連表に記憶された各識別子を物品番号に関連付けてさらに記憶すること、及び、各識別子により識別されるＩＣチップの検出結果をさらに記憶することが、第１実施形態に係る物品管理表と相違する。具体的には、識別子欄が「−」である行は物品番号欄の番号により識別される物品の棚卸結果を示し、識別子欄が「−」ではなく「ａ」、「ｂ」等である行は、識別子欄の識別子により識別されるＩＣチップの検出結果を示す。また、第５変形例に係る物品管理表は、物品の棚卸結果及びＩＣチップの検出結果の履歴を所定期間にわたって記憶することが、第１実施形態に係る物品管理表と相違する。具体的には、図１３に示す物品管理表は、第１回〜第３回の３回の棚卸時における棚卸結果及び検出結果を示している。上記以外の第５変形例に係る物品管理表の形式は、第１実施形態に係る物品管理表の形式と同一であるため、ここでは詳細な説明を省略する。
【００８８】
図１４は、第５変形例に係る情報処理装置４０´における警告処理の一例を示す図である。
【００８９】
警告処理は、棚卸処理が複数回実施された後の任意の時点において、情報処理装置４０´によって実行される。
【００９０】
最初に、ＩＣチップ検出回数算出部４５６は、物品管理表を参照して、識別子取得部４５３が所定期間に識別子を取得した回数であるＩＣチップ検出回数を識別子毎に算出する（Ｓ４１）。例えば、ＩＣチップ検出回数算出部４５６は、所定期間を第１回〜第３回棚卸の３回の棚卸の期間とする。この期間において、値ａのＩＣチップの検出結果は全て「無」であるため、ＩＣチップ検出回数算出部４５６は、値ａのＩＣチップのＩＣチップ検出回数を０回と算出する。ＩＣチップ検出回数算出部４５６は、同様にして値ｂ、ｃ、ｄ等のＩＣチップについてもＩＣチップ検出回数を算出する。
【００９１】
次に、物品検出回数算出部４５７は、識別子取得部４５３が所定期間に取得した識別子に基づいて判定部４５４´が第１物品が存在すると判定した回数である物品検出回数を算出する（Ｓ４２）。例えば、物品検出回数算出部４５７は、第１回〜第３回棚卸において５０番の物品に対応する棚卸結果が全て「有」であるため、５０番の物品の物品検出回数を３回と算出する。物品検出回数算出部４５７は、同様にして物品番号６０等の物品についても物品検出回数を算出する。
【００９２】
次に、検出率算出部４５８は、ＩＣチップ検出回数算出部４５６が算出したＩＣチップ検出回数及び物品検出回数算出部４５７が算出した物品検出回数に基づいて、物品検出回数に対するＩＣチップの検出率を算出する（Ｓ４３）。例えば、検出率算出部４５８は、値ａのＩＣチップ検出回数は０回、５０番の物品に対応する物品検出回数は３回であるため、検出率は（０／３）×１００＝０％であると算出する。検出率算出部４５８は、同様にして値ｂ、ｃ、ｄ等のＩＣチップについてもＩＣチップの検出率を算出する。
【００９３】
次に、警告出力部４５９は、検出率算出部４５８が算出した検出率が所定閾値より小さいか否かを判定する（Ｓ４４）。検出率が所定閾値より小さいとき（Ｓ４４−Ｙ）、警告出力部４５９は、検出率の算出対象となったＩＣチップを警告対象として抽出する（Ｓ４５）。例えば、所定閾値が２０％のとき、警告出力部４５９は、検出率が０％である値ａのＩＣチップを警告対象として抽出する。検出率が所定閾値と等しい又は閾値より大きいとき（Ｓ４４−Ｎ）、警告出力部４５９は、Ｓ４５の処理を実行しない。例えば、所定閾値が２０％のとき、警告出力部４５９は、検出率が１００％である値ｃのＩＣチップを警告対象として抽出しない。警告出力部４５９は、Ｓ４４〜Ｓ４５の処理を、検出率算出部４５８が算出したＩＣチップの検出率のそれぞれに対して実行する。
【００９４】
次に、警告出力部４５９は、警告対象として抽出したＩＣチップに基づいて警告内容を表示する画面を生成し、生成した画面を表示部４３に出力して表示させる（Ｓ４６）。例えば、警告出力部４５９は、「値ａのＩＣチップは故障している可能性があります」という警告内容を表示する画面を生成して表示部４３に出力し、表示部４３は、入力された画面を表示する。以上により、警告処理は終了する。
【００９５】
第５変形例に係る物品管理用シート２０において、第１ＩＣチップの一例であるＩＣチップ２２４は、第１識別子を記憶し、ＩＣチップ２３４、２４４、２５４及び他の物品管理用シート２０のＩＣチップは、第１識別子と異なる識別子を記憶する。また、情報処理装置４０´は、第１識別子と関連付けられた物品番号の物品の検出回数に対するＩＣチップ２２４の検出率が所定閾値より小さいとき、ＩＣチップ２２４に関する警告を出力する。これにより、情報処理装置４０´は、リーダライタ３０がＩＣチップ２２４を検出しないことを、物品管理用シート２０の利用者に通知できる。通知を受けた利用者は、ＩＣチップ２２４を交換する、物品管理用シート２０の配置場所を変える等の方法によって、リーダライタ３０がＩＣチップ２２４を検出しないことに対処できる。
【００９６】
なお、警告処理は、棚卸処理以外における物品管理用シート２０の検出処理に基づいて実行されてもよい。例えば、情報処理装置４０´は、物品の一例である書類１０及び物品管理用シート２０の組を書棚８１から貸し出す又は書棚８１に返却するときに、物品管理用シート２０のＩＣタグをリーダライタ３０によって読み取ってもよい。情報処理装置４０´は、貸出処理及び返却処理として、読み取った結果に対して第５変形例における棚卸処理と同様な処理を実行し、物品番号及び物品管理用シート２０に記憶された各識別子の検出結果の履歴を物品管理表に記憶する。情報処理装置４０´は、貸出処理及び返却処理において作成した物品管理表を使用して、警告処理を実行してもよい。
【００９７】
また、第１ＩＣチップが有する第１識別子が管理システム１内で一意に識別可能であれば、他のＩＣチップが有する識別子は、管理システム１内で一意に識別可能でなくてもよい。例えば、物品管理用シート２０において、ＩＣチップ２２４が記憶する識別子が管理システム１内で一意に識別可能であれば、ＩＣチップ２３４、２４４、２５４のそれぞれが記憶する識別子は、一部又は全部が同一であってもよい。
【００９８】
当業者は、本発明の精神及び範囲から外れることなく、様々な変更、置換及び修正をこれに加えることが可能であることを理解されたい。
【符号の説明】
【００９９】
２０、２０ａ、２０ｂ、２０ｃ、２０ｄ    物品管理用シート
２１、２１ａ、２１ｂ、２１ｃ、２１ｄ    本体
３０    リーダライタ（リーダ）
４０、４０´    情報処理装置
４４    記憶部
２２２、２３２、２４２、２５２    インレイ
２２３、２３３、２４３、２５３    アンテナ
２２４、２３４、２４４、２５４    ＩＣチップ
４５３    識別子取得部
４５４    判定部
４５５    出力部
４５６    ＩＣチップ検出回数算出部
４５７    物品検出回数算出部
４５８    検出率算出部
４５９    警告出力部
【図１】
2020126458.tif 000003
【図２】
2020126458.tif 000004
【図３】
2020126458.tif 000005
【図４】
2020126458.tif 000006
【図５】
2020126458.tif 000007
【図６】
2020126458.tif 000008
【図７】
2020126458.tif 000009
【図８】
2020126458.tif 000010
【図９】
2020126458.tif 000011
【図１０】
2020126458.tif 000012
【図１１】
2020126458.tif 000013
【図１２】
2020126458.tif 000014
【図１３】
2020126458.tif 000015
【図１４】
2020126458.tif 000016
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
物品と組にして使用される物品管理用シート、及び、リーダがＩＣチップから読み取った識別子を使用して物品を管理する情報処理装置を有するシステムであって、
前記物品管理用シートは、
平面状の本体と、
複数のインレイと、を有し、
前記複数のインレイのそれぞれは、
アンテナ、及び、前記システム内で一意に識別可能な識別子を記憶し前記アンテナを介して前記記憶した識別子を送信するＩＣチップから成り、
前記本体の互いに重ならない位置に配置され、
前記情報処理装置は、
前記物品管理用シートと組にして使用される物品を前記システム内で識別する物品番号を、前記複数のインレイに含まれるＩＣチップのそれぞれが記憶している識別子と関連付けて記憶する記憶部と、
複数のＩＣチップのそれぞれが記憶している識別子を取得する識別子取得部と、
前記識別子取得部が、前記物品番号に関連付けられた識別子の少なくとも一つを取得したとき、前記物品番号によって識別される物品が存在すると判定する判定部と、
前記識別子取得部が前記物品番号に関連付けられた前記識別子を所定期間内に取得した回数であるＩＣチップ検出回数を、前記ＩＣチップ毎に算出するＩＣチップ検出回数算出部と、
前記判定部が前記物品番号によって識別される物品が存在すると前記所定期間内に判定した回数である物品検出回数を算出する物品検出回数算出部と、
前記物品検出回数に対する前記ＩＣチップ検出回数の割合を前記ＩＣチップ毎に算出する検出率算出部と、
前記割合が所定閾値より小さい前記ＩＣチップに関する警告を出力する警告出力部と、を有する、
ことを特徴とするシステム。
【請求項２】
自らを一意に識別可能な識別子を記憶するＩＣチップを複数有する物品管理用シートと共に使用される情報処理装置であって、
物品管理用シートと組にして使用される物品を識別する物品番号を、複数のＩＣチップのそれぞれが記憶している識別子と関連付けて記憶する記憶部と、
複数のＩＣチップのそれぞれが記憶している識別子を取得する識別子取得部と、
前記識別子取得部が、前記物品番号に関連付けられた識別子の少なくとも一つを取得したとき、前記物品番号によって識別される物品が存在すると判定する判定部と、
前記識別子取得部が前記物品番号に関連付けられた前記識別子を所定期間内に取得した回数であるＩＣチップ検出回数を、ＩＣチップ毎に算出するＩＣチップ検出回数算出部と、
前記判定部が前記物品番号によって識別される物品が存在すると前記所定期間内に判定した回数である物品検出回数を算出する物品検出回数算出部と、
前記物品検出回数に対する前記ＩＣチップ検出回数の割合をＩＣチップ毎に算出する検出率算出部と、
前記割合が所定閾値より小さいＩＣチップに関する警告を出力する警告出力部と、を有する、
ことを特徴とする情報処理装置。